(57)【要約】【課題】クリスマス等に新設または既設の軒樋に線状体、例えば、光源をフレキシブルな線状に連結してなる線状発光体を取り付けることのできる軒樋用線状体支持装置を提供する。【解決手段】軒樋７に線状体８を支持する装置であって、固定部Ａと線状体支持部Ｃとからなり、上記固定部Ａは軒樋７の前壁部に付設された前耳部７１に着脱自在に固定される前耳嵌装部１とこの前耳嵌装部１を構成する側壁部１１に対向するとともに、サドル部３によって連結される立ち上がり部２とからなり、上記線状体支持部Ｃは線状体８を保持する保持部４とこの保持部４に連接して上記サドル部３に係合する係合脚部５とからなる軒樋用線状体支持装置。【選択図】図６
2008202368.tif 000002
【特許請求の範囲】
【請求項１】
軒樋に線状体を支持する装置であって、固定部と線状体支持部とからなり、上記固定部は軒樋の前壁部に付設された前耳部に着脱自在に固定される前耳嵌装部とこの前耳嵌装部を構成する側壁部に対向するとともに、サドル部によって連結される立ち上がり部とからなり、上記線状体支持部は線状体を保持する保持部とこの保持部に連接して上記サドル部に係合する係合脚部とからなる軒樋用線状体支持装置。
【請求項２】
上記前耳嵌装部と略対称の位置に該前耳嵌装部とは異なる形態の第２前耳嵌装部が立ち上がり部に付設された請求項１に記載の軒樋用線状体支持装置。
【請求項３】
上記係合脚部を一対の弾性部材で構成するとともに、該係合脚部どうしをビス固定してなる請求項１に記載の軒樋用線状体支持装置。
【請求項４】
上記線状体が線状発光体である請求項１に記載の軒樋用線状体支持装置。
【発明の詳細な説明】
【技術分野】
【０００１】
本発明は、軒樋に取り付けられる線状体の支持装置に関する。さらに詳しくは、線状体、例えば、クリスマス等に家の軒先周辺を電飾する線状の発光体を支持するための軒樋用線状体支持装置に関する。
【背景技術】
【０００２】
近年、クリスマス等、季節に応じて住宅の外側をライトアップしたり、ＬＥＤや小型電球等の光源を点滅させ、個性的に住宅の外面を電飾することが行われている。このとき、屋根の周囲に設けられている軒樋が上記光源を取り付けるためには、格好の位置にあり、多くの場合、市販の固定部材や針金等によって固定して取り付けられる。
【０００３】
一方、防犯上あるいは装飾用等のため、軒樋の後壁部と軒樋吊り具等、軒樋支持具を取り付ける鼻板との間のスペースに照明器具を収容し、軒先の下方を照明するように構成された軒樋装置も提案されている。例えば、下記特許文献１には、軒樋の後壁部と軒先前面との間に形成される間隔スペース内に照明器具を収容し、同間隔スペースの下方開口部を閉塞する透光板を設け、この透光板を介して上記軒樋の底面と軒先天井面とが略面一状に連続された軒樋装置が提案されている。
【０００４】
そして、軒樋の後壁部と軒先前面との間に形成される間隔スペースが活用され、該間隔スペース内に照明器具が邪魔にならないように体裁よく収容され、しかも同間隔スペースの下方開口部が透光板によって閉塞され、前記照明器具も覆い隠されて、軒先下方が外観良好に納まり、また、照明器具によって軒先下方が明るく照らされる効果があると記載されている。
【特許文献１】特開平８−３２６２４２号公報（第１〜３頁、第１図、第２図）
【発明の開示】
【発明が解決しようとする課題】
【０００５】
しかしながら、上記特許文献１に記載の技術は、その図２に示されているように、上記照明器具は、軒先前面の下端にビス固定された断面略コ字型で前方に開口した金属製の取付け具に固定され、かつ、下方に開口した扁平矩形状のボックスに内蔵されているため、軒先下方を照明することはできるが、軒樋回りを電飾することはできない。
【０００６】
本発明はこのような問題を解決して、クリスマス等に上記特許文献１に記載の軒樋をはじめ、既設の軒樋回りに線状体、例えば、豆電球やＬＥＤ等の光源をフレキシブルな線状に連結してなる線状発光体を軒樋に支持することのできる軒樋用線状体支持装置を提供することを、その課題とする。
【課題を解決するための手段】
【０００７】
上記課題を解決するため、本発明においては、つぎのような技術的手段を講じている。すなわち、請求項１に記載の発明によれば、軒樋に線状体を支持する装置であって、固定部と線状体支持部とからなり、上記固定部は軒樋の前壁部に付設された前耳部に着脱自在に固定される前耳嵌装部とこの前耳嵌装部を構成する側壁部に対向するとともに、サドル部によって連結される立ち上がり部とからなり、上記線状体支持部は線状体を保持する保持部とこの保持部に連接して上記サドル部に係合する係合脚部とからなる軒樋用線状体支持装置が提供される。
【０００８】
請求項２に記載の軒樋用線状体支持装置は、請求項１に記載の発明に加えて、上記前耳嵌装部と略対称の位置に該前耳嵌装部とは異なる形態の第２前耳嵌装部が立ち上がり部に付設される。
【０００９】
請求項３に記載の軒樋用線状体支持装置は、請求項１に記載の発明に加えて、上記係合脚部を一対の弾性部材で構成するとともに、該係合脚部どうしはビスで合一して固定される。
【００１０】
請求項４に記載の軒樋用線状体支持装置は、請求項１に記載の発明に加えて、上記線状体が線状発光体とされる。
【発明の効果】
【００１１】
請求項１に記載の発明にかかる軒樋用線状体支持装置は上記のとおりであり、軒樋の前耳部に固定される前耳嵌装部とこの前耳嵌装部を形成する側壁部に対向し、サドル部で連結される立ち上がり部とからなる固定部と、線状体を保持する保持部とこの保持部に連接して上記サドル部に係合する係合脚部とからなる線状体支持部とから構成されているため、新設または既設の軒樋の前耳部に容易に取り付けられ、上記保持部で線状体、例えば、光源をフレキシブルな線状に連結してなる線状発光体を容易に支持することができる。その結果、軒樋や駆体を傷付けることなく、クリスマス等、季節に応じて軒先をライトアップしたり、発光体を点滅して住宅を電飾することができる。
【００１２】
請求項２に記載の軒樋用線状体支持装置は上記のとおりであり、請求項１の軒樋用線状体支持装置の有する効果に加え、上記前耳嵌装部と略対称の位置に該前耳嵌装部とは異なる形態の第２前耳嵌装部が立ち上がり部に付設されているため、軒樋の前耳部の形態に応じて上記前耳嵌装部と第２前耳嵌装部のうち、好ましい方を選んでしっかりと嵌装し、軒樋用線状体支持装置を軒樋に取り付けることができる。
【００１３】
請求項３に記載の軒樋用線状体支持装置は上記のとおりであり、請求項１の軒樋用線状体支持装置の有する効果に加え、上記係合脚部を一対の弾性部材で構成することにより、上記サドル部にスナップフィットして弾性係止することができる。さらに、上記係合脚部にビス孔を穿ちビス固定して合一することにより、さらに確実にサドル部に係止することができる。
【００１４】
請求項４に記載の軒樋用線状体支持装置は上記のとおりであり、請求項１の軒樋用線状体支持装置の有する効果に加え、上記線状体を線状発光体とし、例えば、ポリエチレン等のフレキシブルなチューブにＬＥＤ等の光源を配設することにより、軒樋や駆体を傷付けることなく、住宅の外面を電飾することができる。
【発明を実施するための最良の形態】
【００１５】
以下、本発明の実施形態について図面を参照して詳細に説明する。図１は本発明にかかる軒樋用線状体支持装置を構成する固定部Ａを示す斜視図である。図１に示すように、上記固定部Ａは、図示しない軒樋の前壁部に付設された前耳部に着脱自在に固定される前耳嵌装部１と、この前耳嵌装部１を構成する側壁部１１にサドル部３によって連結される立ち上がり部２とからなり、上記前耳嵌装部１は、立ち上がり部２から分岐して形成されている。
【００１６】
図２は、上記軒樋用線状体支持装置を構成するとともに、弾性部材からなる線状体支持部Ｃを示す斜視図である。図２に示すように、上記線状体支持部Ｃは線状体を保持する断面略Ｃ型の保持部４とこの保持部４の端面に連接される一対の係合脚部５とからなり、この係合脚部５の下端の略中央部は切り欠かれて係合部５１とされている。上記係合部５１は、図１に示すサドル部３に跨るように弾性係合され、ビス孔５２を挿通するビス９によってビス固定して合一される。図３は上記係合部５１を上記サドル部３に跨るように係合し、上記線状体支持部Ｃを固定部Ａに取り付けた状態を示す側面図である。図４は、上記線状体支持部Ｃを固定部Ａに取り付けた状態を示す正面図である。
【００１７】
図５は、本発明の軒樋用線状体支持装置の他の構成にかかる固定部Ｂを示す斜視図である。上記固定部Ｂにおいては、図１に示す固定部Ａの立ち上がり部２に既存の前耳嵌装部１とは異なる形態の第２前耳嵌装部６を、前耳嵌装部１と略対称の位置に、さらに付設して形成される。このようにすることにより、軒樋の前耳部の形態に応じて上記前耳嵌装部１と第２前耳嵌装部６のうち、好ましい方を選んで嵌装することができる。
【００１８】
図６は上記固定部Ｂの前耳嵌装部１を軒樋７の前耳部７１に嵌装し、本発明にかかる軒樋用線状体支持装置を軒樋７に取り付けた状態を示す部分側断面図である。図６に示すように、固定部Ｂの前耳嵌装部１を軒樋７の前耳部７１に、必要に応じて接着剤を併用して、嵌装固定させることにより、本発明の軒樋用線状体支持装置を軒樋７にしっかりと固定することができる。
【００１９】
図７は、図６に示す軒樋用線状体支持装置によって線状体８を支持した状態を示す部分斜視図である。本実施形態においては、線状体８として、ポリエチレン等のフレキシブルなチューブにＬＥＤ等の光源を配設した線状発光体を用いた例を示す。図７に示すように、上記線状発光体を保持部４で保持することにより、壁面等の駆体にフック式の固定金具等、固定部材をビス等により固定することなく、簡単に、また、確実に線状発光体を軒樋７の回りに取り付けることができる。そして、軒樋や駆体を傷付けることなく、季節に応じて軒先をライトアップすることや、発光体を点滅させることが可能となり、住宅の外観を個性的に電飾することができる。
【図面の簡単な説明】
【００２０】
【図１】本発明にかかる軒樋用線状体支持装置を構成する固定部を示す斜視図である。
【図２】本発明にかかる軒樋用線状体支持装置を構成する線状体支持部を示す斜視図である。
【図３】上記線状体支持部を固定部に取り付けた状態を示す側面図である。
【図４】上記線状体支持部を固定部に取り付けた状態を示す正面図である。
【図５】本発明の軒樋用線状体支持装置の他の構成にかかる固定部を示す斜視図である。
【図６】本発明にかかる軒樋用線状体支持装置を軒樋に取り付けた状態を示す部分側断面図である。
【図７】本発明にかかる軒樋用線状体支持装置によって線状体を支持した状態を示す部分斜視図である。
【符号の説明】
【００２１】
Ａ          本発明の軒樋用線状体支持装置を構成する固定部
Ｂ          本発明の軒樋用線状体支持装置の他の構成にかかる固定部
Ｃ          本発明の軒樋用線状体支持装置を構成する線状体支持部
１          前耳嵌装部
１１        側壁部
２          立ち上がり部
３          サドル部
４          保持部
５          係合脚部
５１        係合部
５２        ビス孔
６          第２前耳嵌装部
７          軒樋
７１        前耳部
８          線状体
９          ビス
【図１】
2008202368.tif 000003
【図２】
2008202368.tif 000004
【図３】
2008202368.tif 000005
【図４】
2008202368.tif 000006
【図５】
2008202368.tif 000007
【図６】
2008202368.tif 000008
【図７】
2008202368.tif 000009